(57)【要約】    【課題】  同一の場所やエリアについて、時間経過と共に変化する画像を見やすく提示できるシステムを提供する。    【解決手段】  サーバ装置Ｓには、各地にて撮像された画像が、位置および時刻と共に記録される。この画像を閲覧する際には、ユーザは、携帯情報端末装置Ｔmを用いて、サーバ装置Ｓにアクセスする。これにより、サーバ装置Ｓからは、所望の場所の所望の時刻の撮像画像が、地図と共に送信されてくる。  携帯情報端末装置Ｔmでは、たとえば、画面Ｄのように表示される。この画面例では、下部に撮像画像Ｐが表示され、撮像された位置とビーム線Ｂによって結ばれている。また、スライダＳＬを操作することにより、異なる日時に撮像された画像を表示することができる。このシステムによれば、各ユーザが撮像した各場所の風景画像などを、時間を変化させながら閲覧することができる。【選択図】  図１
2014041405.tif 000002
【特許請求の範囲】
【請求項１】
インターネットを介して通信可能な携帯情報端末装置とサーバ装置を備えたシステムであって、
前記携帯情報端末装置は、
撮像を行う撮像部と、
現在位置情報を取得する現在位置情報取得手段と、
現在時刻を取得する現在時刻取得手段と、
撮像部によって撮像された画像、前記現在位置情報、前記現在時刻を含む登録情報を付加した登録要求を、サーバ装置に送信する登録要求送信手段と、
閲覧対象時刻を設定する閲覧対象時刻設定手段と、
閲覧対象位置を設定する閲覧対象位置設定手段と、
閲覧対象位置、閲覧対象時刻を伴った閲覧要求を、サーバ装置に送信する閲覧要求送信手段と、
前記閲覧情報に対応して、サーバ装置から送られてきた地図情報および登録情報を受信する地図・登録情報受信手段と、
前記受信した登録情報の登録位置情報に基づいて、登録位置マークを生成する登録位置マーク生成手段と、
前記受信した地図情報および生成した登録位置マークと、前記受信した登録情報に含まれる登録画像を表示するとともに、登録位置マークと対応する登録画像との間に、関連づけ表示を行う表示手段とを備え、
前記サーバ装置は、
前記携帯端末装置からの登録要求を受信する登録要求受信手段と、
受信した登録要求に付加されている登録情報の現在位置情報、現在時刻を、それぞれ、登録位置情報、登録時刻として記録部に記録する記録手段と、
前記携帯端末装置からの閲覧要求を受信する閲覧要求受信手段と、
受信した閲覧要求に付加されている前記閲覧対象位置に基づいて、所定範囲の地図を取得する地図取得手段と、
受信した閲覧要求に付加されている前記閲覧対象位置、閲覧対象時刻に基づいて、当該閲覧対象位置近傍の登録位置情報を有し、当該閲覧対象時刻近傍の登録時刻を有する登録情報を、記録部から取得する登録情報取得手段と、
取得した地図と登録情報を前記携帯端末装置に送信する地図・登録情報送信手段と、
を備えたことを特徴とする写真を関連づけた地図システム。
【請求項２】
撮像を行う撮像部と、
現在位置情報を取得する現在位置情報取得手段と、
現在時刻を取得する現在時刻取得手段と、
撮像部によって撮像された画像、前記現在位置情報、前記現在時刻を含む登録情報を付加した登録要求を、サーバ装置に送信する登録要求送信手段と、
ユーザの操作に応じて、閲覧対象時刻を設定する閲覧対象時刻設定手段と、
閲覧対象位置、閲覧対象時刻を伴った閲覧要求を、サーバ装置に送信する閲覧要求送信手段と、
前記閲覧情報に対応して、サーバ装置から送られてきた地図情報および登録情報を受信する地図・登録情報受信手段と、
前記受信した登録情報の登録位置情報に基づいて、登録位置マークを生成する登録位置マーク生成手段と、
前記受信した地図情報および生成した登録位置マークと、前記受信した登録情報に含まれる登録画像を表示するとともに、登録位置マークと対応する登録画像との間に、関連づけ表示を行う表示手段と、
を備えた携帯端末装置。
【請求項３】
携帯端末装置からの登録要求を受信する登録要求受信手段と、
受信した登録要求に付加されている登録情報の現在位置情報、現在時刻を、それぞれ、登録位置情報、登録時刻として記録部に記録する記録手段と、
前記携帯端末装置からの閲覧要求を受信する閲覧要求受信手段と、
受信した閲覧要求に付加されている前記閲覧対象位置に基づいて、所定範囲の地図を取得する地図取得手段と、
受信した閲覧要求に付加されている前記閲覧対象位置、閲覧対象時刻に基づいて、当該閲覧対象位置近傍の登録位置情報を有し、当該閲覧対象時刻近傍の登録時刻を有する登録情報を取得する登録情報取得手段と、
取得した地図と登録情報を前記携帯端末装置に送信する地図・登録情報送信手段と、
を備えたことを特徴とするサーバ装置。
【請求項４】
請求項１のシステムまたは請求項３の装置において、
前記サーバ装置は、
前記閲覧対象位置を少なくとも含む閲覧要求を受けて、所定範囲の地図を取得して送信する地図サーバ装置と、
前記前記閲覧対象位置、閲覧対象時刻を少なくとも含む閲覧要求を受けて、当該閲覧対象時刻近傍の登録時刻を有する登録情報を取得して送信する登録情報サーバ装置と、
を備えていることを特徴とするシステムまたは装置。
【請求項５】
撮像を行う撮像部を備えた携帯端末装置のコンピュータを、
現在位置情報を取得する現在位置情報取得手段と、
現在時刻を取得する現在時刻取得手段と、
撮像部によって撮像された画像、前記現在位置情報、前記現在時刻を含む登録情報を付加した登録要求を、サーバ装置に送信する登録要求送信手段と、
ユーザの操作に応じて、閲覧対象時刻を設定する閲覧対象時刻設定手段と、
閲覧対象位置、閲覧対象時刻を伴った閲覧要求を、サーバ装置に送信する閲覧要求送信手段と、
前記閲覧情報に対応して、サーバ装置から送られてきた地図情報および登録情報を受信する地図・登録情報受信手段と、
前記受信した登録情報の登録位置情報に基づいて、登録位置マークを生成する登録位置マーク生成手段と、
前記受信した地図情報および生成した登録位置マークと、前記受信した登録情報に含まれる登録画像を表示するとともに、登録位置マークと対応する登録画像との間に、関連づけ表示を行う表示手段として機能させるための携帯端末プログラム。
【請求項６】
コンピュータを、
携帯端末装置からの登録要求を受信する登録要求受信手段と、
受信した登録要求に付加されている登録情報の現在位置情報、現在時刻を、それぞれ、登録位置情報、登録時刻として記録部に記録する記録手段と、
前記携帯端末装置からの閲覧要求を受信する閲覧要求受信手段と、
受信した閲覧要求に付加されている前記閲覧対象位置、閲覧対象時刻に基づいて、当該閲覧対象位置近傍の登録位置情報を有し、当該閲覧対象時刻近傍の登録時刻を有する登録情報を取得する登録情報取得手段と、
取得した登録情報を前記携帯端末装置に送信する登録情報送信手段として機能させるための登録情報サーバプログラム。
【請求項７】
請求項５または６のプログラムにおいて、
前記閲覧対象時刻設定手段による閲覧対象時刻の設定は、時刻設定スライダを、ユーザが操作することによって行われることを特徴とするプログラム。
【請求項８】
請求項５〜７のいずれかのプログラムにおいて、
前記閲覧要求に対して、複数の登録情報が端末装置に送信され、
前記端末装置においては、対応する登録位置マークと登録画像が、それぞれ、線によって結ばれて対応づけられることを特徴とするプログラム。
【請求項９】
請求項８のプログラムにおいて、
前記送信されてきた複数の登録情報の登録画像を、端末装置に表示しきれない場合には、前記閲覧対象時刻に近い登録時刻を有する画像を優先して表示することを特徴とするプログラム。
【発明の詳細な説明】
【技術分野】
【０００１】
この発明は、風景などの写真を時間情報と共に地図上に表示することのできるシステムに関するものである。
【背景技術】
【０００２】
カメラ付き携帯電話、ディジタルカメラなどで撮像した画像に、位置情報と日時情報を付加して記録し、これに地図を対応づけてサーバ装置に保存するシステムが提案されている（たとえば特許文献１）。
【０００３】
このシステムによれば、ユーザがサーバ装置にアクセスし、イベント場所や日時などを検索することで、当該イベントが行われる場所の地図と画像を表示することができる。たとえば、図１５に示す画面において、ユーザが検索窓２に住所（たとえば「東京都」）を入力し、カレンダー４の上で期間（たとえば、７／１５〜８／１５）を選択し、キーワード選択欄６においてキーワード（たとえば「花火」）を選択して、検索を行う。その結果、これらの条件を満たすイベントの画像と説明が、地図上に表示される。
【先行技術文献】
【特許文献】
【０００４】
【特許文献１】特開２００８−３３７５５
【発明の概要】
【発明が解決しようとする課題】
【０００５】
しなしながら、上記従来技術のシステムは、検索条件を絞って、イベントなどの情報を得るには適しているものの、当該場所において撮像された画像を、時系列にしたがって観ることは容易でなかった。たとえば、同じ場所の風景の季節の変化を楽しむためには、操作が複雑であった。すなわち、特許文献１のシステムでは、同一の場所やエリアについて、時間経過と共に変化する画像を見やすく提供するという観点はなかった。
【０００６】
この発明は、上記のような問題点を解決して、同一の場所やエリアについて、時間経過と共に変化する画像を見やすく提示できるシステムを提供することを目的とする。
【課題を解決するための手段】
【０００７】
(1)(2)(3)この発明に係るシステムは、インターネットを介して通信可能な携帯情報端末装置とサーバ装置を備えたシステムであって、
前記携帯情報端末装置は、撮像を行う撮像部と、現在位置情報を取得する現在位置情報取得手段と、現在時刻を取得する現在時刻取得手段と、撮像部によって撮像された画像、前記現在位置情報、前記現在時刻を含む登録情報を付加した登録要求を、サーバ装置に送信する登録要求送信手段と、閲覧対象時刻を設定する閲覧対象時刻設定手段と、閲覧対象位置を設定する閲覧対象位置設定手段と、閲覧対象位置、閲覧対象時刻を伴った閲覧要求を、サーバ装置に送信する閲覧要求送信手段と、前記閲覧情報に対応して、サーバ装置から送られてきた地図情報および登録情報を受信する地図・登録情報受信手段と、前記受信した登録情報の登録位置情報に基づいて、登録位置マークを生成する登録位置マーク生成手段と、前記受信した地図情報および生成した登録位置マークと、前記受信した登録情報に含まれる登録画像を表示するとともに、登録位置マークと対応する登録画像との間に、関連づけ表示を行う表示手段とを備え、
前記サーバ装置は、前記携帯端末装置からの登録要求を受信する登録要求受信手段と、受信した登録要求に付加されている登録情報の現在位置情報、現在時刻を、それぞれ、登録位置情報、登録時刻として記録部に記録する記録手段と、前記携帯端末装置からの閲覧要求を受信する閲覧要求受信手段と、受信した閲覧要求に付加されている前記閲覧対象位置に基づいて、所定範囲の地図を取得する地図取得手段と、受信した閲覧要求に付加されている前記閲覧対象位置、閲覧対象時刻に基づいて、当該閲覧対象位置近傍の登録位置情報を有し、当該閲覧対象時刻近傍の登録時刻を有する登録情報を、記録部から取得する登録情報取得手段と、取得した地図と登録情報を前記携帯端末装置に送信する地図・登録情報送信手段とを備えたことを特徴としている。
【０００８】
したがって、登録地点においてユーザが任意に登録した登録画像を、時間経過に沿って閲覧することが容易である。
【０００９】
(4)この発明に係るシステムは、前記サーバ装置が、閲覧対象位置を少なくとも含む閲覧要求を受けて、所定範囲の地図を取得して送信する地図サーバ装置と、前記閲覧対象位置、閲覧対象時刻を少なくとも含む閲覧要求を受けて、当該閲覧対象時刻近傍の登録時刻を有する登録情報を取得して送信する登録情報サーバ装置とを備えていることを特徴としている。
【００１０】
したがって、地図についての処理と登録情報についての処理を分離することができ、システムの構築が容易である。
【００１１】
(5)この発明に係る携帯端末プログラムは、撮像を行う撮像部を備えた携帯端末装置のコンピュータを、現在位置情報を取得する現在位置情報取得手段と、現在時刻を取得する現在時刻取得手段と、撮像部によって撮像された画像、前記現在位置情報、前記現在時刻を含む登録情報を付加した登録要求を、サーバ装置に送信する登録要求送信手段と、ユーザの操作に応じて、閲覧対象時刻を設定する閲覧対象時刻設定手段と、閲覧対象位置、閲覧対象時刻を伴った閲覧要求を、サーバ装置に送信する閲覧要求送信手段と、前記閲覧情報に対応して、サーバ装置から送られてきた地図情報および登録情報を受信する地図・登録情報受信手段と、前記受信した登録情報の登録位置情報に基づいて、登録位置マークを生成する登録位置マーク生成手段と、前記受信した地図情報および生成した登録位置マークと、前記受信した登録情報に含まれる登録画像を表示するとともに、登録位置マークと対応する登録画像との間に、関連づけ表示を行う表示手段として機能させるためのものである。
【００１２】
したがって、登録地点においてユーザが任意に登録した登録画像を、時間経過に沿って閲覧することが容易である。
【００１３】
(6)この発明に係る登録情報サーバプログラムは、コンピュータを、携帯端末装置からの登録要求を受信する登録要求受信手段と、受信した登録要求に付加されている登録情報の現在位置情報、現在時刻を、それぞれ、登録位置情報、登録時刻として記録部に記録する記録手段と、前記携帯端末装置からの閲覧要求を受信する閲覧要求受信手段と、受信した閲覧要求に付加されている前記閲覧対象位置、閲覧対象時刻に基づいて、当該閲覧対象位置近傍の登録位置情報を有し、当該閲覧対象時刻近傍の登録時刻を有する登録情報を取得する登録情報取得手段と、取得した登録情報を前記携帯端末装置に送信する登録情報送信手段として機能させるための登録情報サーバプログラムである。
【００１４】
したがって、登録地点においてユーザが任意に登録した登録画像を、時間経過に沿って閲覧することが容易である。
【００１５】
(7)この発明に係るプログラムは、閲覧対象時刻設定手段による閲覧対象時刻の設定は、時刻設定スライダを、ユーザが操作することによって行われることを特徴としている。
【００１６】
したがって、ユーザによる閲覧対象時刻の設定が容易である。
【００１７】
(8)この発明に係るプログラムは、閲覧要求に対して、複数の登録情報が端末装置に送信され、端末装置においては、対応する登録位置マークと登録画像が、それぞれ、線によって結ばれて対応づけられることを特徴としている。
【００１８】
したがって、登録位置と登録画像の対応づけを容易に把握することができる。
【００１９】
(9)この発明に係るプログラムは、送信されてきた複数の登録情報の登録画像を、端末装置に表示しきれない場合には、前記閲覧対象時刻に近い登録時刻を有する画像を優先して表示することを特徴としている。
【００２０】
したがって、画面の表示容量を考慮して、ユーザに必要と思われる登録画像を優先して表示することができる。
【００２１】
「現在位置情報取得手段」は、ステップＳ４やステップＳ１２がこれに対応する。
【００２２】
「現在時刻取得手段」は、ステップＳ５やステップＳ１３がこれに対応する。
【００２３】
「登録要求送信手段」は、ステップＳ６がこれに対応する。
【００２４】
「閲覧対象時刻設定手段」は、ステップＳ２３がこれに対応する。
【００２５】
「閲覧要求送信手段」は、ステップＳ１４およびステップＳ１７がこれに対応する。
【００２６】
「地図・登録情報受信手段」は、ステップＳ１５およびステップＳ１８がこれに対応する。
【００２７】
「登録位置マーク生成手段」は、ステップＳ１９がこれに対応する。
【００２８】
「表示手段」は、ステップＳ２０がこれに対応する。
【００２９】
「登録要求受信手段」は、ステップＳ５１がこれに対応する。
【００３０】
「記録手段」は、ステップＳ５２がこれに対応する。
【００３１】
「閲覧要求受信手段」は、ステップＳ９１およびステップＳ６１がこれに対応する。
【００３２】
「地図取得手段」は、ステップＳ９３がこれに対応する。
【００３３】
「登録情報取得手段」は、ステップＳ６２がこれに対応する。
【００３４】
「地図・登録情報送信手段」は、ステップＳ９３およびステップＳ６３がこれに対応する。
【００３５】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００３６】
【図１】この発明の一実施形態による写真を関連づけた地図システムの概要を説明するための図である。
【図２】システムの機能ブロック図である。
【図３】携帯情報端末装置Ｔのハードウエア構成である。
【図４】地図サーバ装置ＳＭのハードウエア構成である。
【図５】登録情報サーバ装置ＳＪのハードウエア構成である。
【図６】撮像画像の登録処理のフローチャートである。
【図７】閲覧処理のフローチャートである。
【図８】閲覧処理のフローチャートである。
【図９】閲覧処理のフローチャートである。
【図１０】登録情報の例である。
【図１１】携帯情報端末装置Ｔにおける画面表示例である。
【図１２】携帯情報端末装置Ｔにおける画面表示例である。
【図１３】携帯情報端末装置Ｔにおける画面表示例である。
【図１４】携帯情報端末装置Ｔにおける画面表示例である。
【図１５】従来の地図表示システムにおける表示例である。
【発明を実施するための形態】
【００３７】
１．システムの概要
図１に、この発明の一実施形態による画像システムの概要を示す。ユーザは、携帯情報端末装置T1によって風景などを撮像する。続けて、携帯情報端末装置T1から、撮像画像をサーバ装置Ｓに送信する。この際、現在時刻および現在位置も併せて送信される。同様にして、他のユーザも、それぞれの携帯情報端末装置Ｔ2〜Ｔnを用いて、撮像画像をサーバ装置Ｓに送信する。
【００３８】
このようにして、サーバ装置Ｓには、各地にて撮像された画像が、位置および時刻と共に記録されることになる。
【００３９】
この画像を閲覧する際には、ユーザは、携帯情報端末装置Ｔmを用いて、サーバ装置Ｓにアクセスする。これにより、サーバ装置Ｓからは、所望の場所の所望の時刻の撮像画像が、地図と共に送信されてくる。
【００４０】
携帯情報端末装置Ｔmでは、たとえば、画面Ｄのように表示される。この画面例では、下部に撮像画像Ｐが表示され、撮像された位置とビーム線Ｂによって結ばれている。また、スライダＳＬを操作することにより、異なる日時に撮像された画像を表示することができる。
【００４１】
以上のように、このシステムによれば、各ユーザが撮像した各場所の風景画像などを、時間を変化させながら閲覧することができる。
【００４２】
２．システムの機能ブロック図
図２に、この発明の一実施形態による画像システムの機能ブロック図を示す。携帯情報端末装置Ｔの撮像部１２は、ユーザ操作によって風景などを撮像する。現在位置情報取得手段１４は、ＧＰＳシステムなどを用いて現在位置情報を取得する。現在時刻取得手段１６は、ＧＰＳシステムや内蔵時計などを用いて現在時刻を取得する。登録要求送信手段１８は、撮像画像、現在位置情報、現在時刻を含む登録情報を伴う登録要求を、サーバ装置Ｓに対して送信する。
【００４３】
サーバ装置Ｓの登録要求受信手段３２は、この登録要求を受信する。記録手段３４は、受信した登録要求の登録情報に含まれる撮像画像、現在位置情報、現在時刻を、それぞれ、登録画像、登録位置情報、登録時刻として、記録部３６に記録する。以上のようにして、携帯情報端末装置Ｔから画像の登録が行われる。
【００４４】
サーバ装置Ｓに登録された画像を閲覧する場合、ユーザは携帯情報端末装置Ｔを操作し、閲覧対象時刻と閲覧対象位置を伴った閲覧要求を行う。携帯情報端末装置Ｔの閲覧対象時刻設定手段２０は、ユーザ操作に応じてまたは現在時刻に基づいて閲覧対象時刻を設定する。閲覧対象位置設定手段２２は、ユーザ操作に応じてまたは現在位置に基づいて閲覧対象位置を設定する。閲覧要求送信手段２４は、設定された閲覧対象時刻および閲覧対象位置を伴って閲覧要求を送信する。
【００４５】
サーバ装置Ｓの閲覧要求受信手段３８は、この閲覧要求を受信する。地図取得手段４０は、受信した閲覧要求に含まれる閲覧対象位置に基づいて、当該閲覧対象位置の所定範囲の地図を取得する。登録情報取得手段４２は、受信した閲覧要求に含まれる閲覧対象位置、閲覧対象時刻に基づいて、当該閲覧対象位置近傍の登録位置情報を有し、当該閲覧対象時刻近傍の登録時刻を有する登録情報を、記録部３６から取得する。地図・登録情報取得手段４４は、取得された地図および登録情報を携帯情報端末装置Ｔに送信する。
【００４６】
携帯情報端末装置Ｔの地図・登録情報受信手段２６は、これを受信する。登録一マーク生成手段２８は、
受信した登録情報に含まれる登録位置情報に基づいて登録位置マークを生成する。表示手段２９は、受信した地図および登録位置マーク、登録画像を表示すると共に、登録位置マークと対応する登録画像との間に、関連づけ表示（ビーム線Ｂなど）を行う。
【００４７】
３．ハードウエア構成
3.1携帯情報端末装置Ｔのハードウエア構成
図３に、この発明の一実施形態による携帯情報端末装置Ｔのハードウエア構成を示す。ＣＰＵ５０には、タッチスクリーン５２、不揮発性メモリ５４、ＧＰＳ受信回路５６、通信回路５８が接続されている。ＧＰＳ受信回路５６は、ＧＰＳ衛星からの電波を受けて、携帯情報端末装置Ｔの現在位置および現在時刻を取得するためのものである。通信回路５８は、インターネットと通信を行うための回路である。
【００４８】
不揮発性メモリ５４には、オペレーティングシステム６０、携帯端末プログラム６２が記録されている。携帯端末プログラム６２は、オペレーティングシステム６０と協働して、その機能を発揮するものである。なお、オペレーティングシステム６０、携帯情報端末プログラム６２ともに、製造時にプリインストールされたものであってもよいし、ダウンロードによってサーバなどからインストールしたものであってもよい。
【００４９】
3.2サーバ装置のハードウエア構成
この実施形態では、サーバ装置Ｓを、地図サーバ装置ＳＭと登録情報サーバ装置ＳＪによって構成するようにしている。
【００５０】
図４に、携帯情報端末装置Ｔからの要求に応じて地図を返信する地図サーバ装置ＳＭのハードウエア構成を示す。ＣＰＵ７０には、ハードディスク７２、通信回路７４が接続されている。ハードディスク７２には、オペレーティングシステム７６、地図サーバプログラム７８、地図データ８０が記録されている。地図サーバプログラム７８は、オペレーティングシステム７６と協働してその機能を発揮するものである。
【００５１】
図５に、携帯情報端末装置Ｔからの要求に応じて登録情報を返信する登録情報サーバ装置ＳＪのハードウエア構成を示す。ＣＰＵ９０には、ハードディスク９２、通信回路９４が接続されている。ハードディスク９２には、オペレーティングシステム９６、登録情報サーバプログラム９８、登録情報９９が記録されている。登録情報サーバプログラム９８は、オペレーティングシステム９６と協働してその機能を発揮するものである。
【００５２】
４．撮像画像の登録処理
図６に、撮像画像の登録処理における携帯端末プログラム６２、登録情報サーバプログラム９８のフローチャートを示す。
【００５３】
ユーザは、携帯情報端末装置Ｔ（たとえば、カメラ付き携帯電話）を操作して、ログインを行った後、風景画像を撮像する。撮像された画像は、不揮発性メモリ５４に記録される（ステップＳ１）。次に、ＣＰＵ５０（以下、携帯情報端末装置Ｔと省略することがある）は、タッチスクリーン５２から、ユーザのコメントを受け付ける（ステップＳ２）。たとえば、撮像画像についてのユーザのコメントである。続いて、ユーザがタッチスクリーン５２の登録要求ボタンを押下したことに応じて、登録要求操作の受付を行う（ステップＳ３）。
【００５４】
携帯情報端末装置Ｔは、次に、ＧＰＳ受信回路５６により、現在位置を取得する（ステップＳ４）。同時に、ＧＰＳ受信回路５６により、現在時刻を取得する（ステップＳ５）。なお、現在時刻は、内蔵時計を用いて取得してもよい。
【００５５】
携帯情報端末装置Ｔは、ユーザＩＤ、撮像画像、コメント、現在位置情報、現在時刻情報による登録情報を伴った登録要求を生成し、登録情報サーバ装置ＳＪに送信する（ステップＳ６）。なお、ユーザＩＤは、ログインの際にユーザ入力したものを用いることができる。
【００５６】
登録情報サーバ装置ＳＪのＣＰＵ９０（以下、登録情報サーバ装置ＳＪと省略することがある）は、この登録情報を受信する（ステップＳ５１）。登録情報サーバ装置ＳＪは、登録情報に含まれる画像、コメント、現在位置情報、現在時刻を、それぞれ、登録画像、登録コメント、登録位置情報、登録時刻として、ハードディスク９２に記録する。
【００５７】
図１０に、ハードディスク９２に記録された登録情報の例を示す。登録情報は、上記のようにユーザからの現在位置情報、現在時刻情報などに基づいて登録される。したがって、登録情報の各項目は次のような意味を持つことになる。
【００５８】
ユーザＩＤは、画像を登録したユーザのユーザＩＤである。登録コメントは、登録時にユーザが入力したコメントである。登録位置情報は、携帯情報端末装置Ｔから送信されてきた現在位置情報である。登録時刻は、携帯情報端末装置Ｔから送信されてきた現在時刻である。なお、登録時刻という概念には、年月日および時刻だけでなく、年月日だけも含む。登録画像は、携帯情報端末装置Ｔから送信されてきた撮像画像である。
【００５９】
５．閲覧処理
図７〜図９に、閲覧処理における携帯端末プログラム６２、登録情報サーバプログラム９８、地図サーバプログラム７８のフローチャートを示す。
【００６０】
ユーザは、携帯情報端末装置Ｔを操作してログインを行う。続いて、ユーザは、携帯情報端末装置Ｔを操作し、閲覧要求操作を行う（ステップＳ１１）。この実施形態では、携帯端末プログラム６２を立ち上げると、自動的に閲覧モードとなるようになっている。
【００６１】
携帯情報端末装置Ｔは、次に、ＧＰＳ受信回路５６により、現在位置情報を取得する（ステップＳ１２）。同時に、ＧＰＳ受信回路５６により、現在時刻を取得する（ステップＳ１３）。なお、現在時刻は、内蔵時計を用いて取得してもよい。
【００６２】
携帯情報端末装置Ｔは、現在位置情報を閲覧対象位置情報とし、現在時刻を閲覧対象時刻として、ユーザＩＤを伴った地図閲覧要求を地図サーバ装置ＳＭに送信する（ステップＳ１４）。
【００６３】
地図サーバ装置ＳＭのＣＰＵ７０（以下、地図サーバ装置ＳＭと省略することがある）は、この地図閲覧要求を受信する（ステップＳ９１）。地図サーバ装置ＳＭは、閲覧対象位置の近傍の地図（たとえば、閲覧対象位置を中心とした周囲５ｋｍの地図など）をハードディスク７２から取得する（ステップＳ９２）。続いて、地図サーバ装置ＳＭは、取得した地図を携帯情報端末装置Ｔに送信する（ステップＳ９３）。
【００６４】
携帯情報端末装置Ｔは、この地図を受信する（ステップＳ１５）。つづけて、この地図を、タッチスクリーン５２に表示する（ステップＳ１６）。さらに、携帯情報端末装置Ｔは、ユーザ操作に応じて、ユーザＩＤ、閲覧対象位置情報、閲覧対象時刻を伴った登録情報閲覧要求を、登録情報サーバ装置ＳＪに送信する（ステップＳ１７）。
【００６５】
登録情報サーバ装置ＳＪは、登録情報閲覧要求を受信する（ステップＳ６１）。さらに、登録情報サーバ装置ＳＪは、登録情報覧要求に含まれる閲覧対象時刻、閲覧対象位置情報に基づいて、図１０の登録情報の中から所定条件に合致するものを選択して取得する（ステップＳ６２）。
【００６６】
この実施形態では、閲覧対象位置情報から所定の距離内（たとえば５ｋｍ以内）の登録位置情報を持つ登録情報をまず選択している。前述のように、ここでは、閲覧対象位置情報は、ユーザの現在位置に等しいので、ユーザの現在位置から所定の距離内にある登録情報が選択されることになる。
【００６７】
続いて、登録情報サーバ装置ＳＪは、選択された登録情報のうち、閲覧対象時刻を中心とした所定期間内（前後３月の期間内）の登録時刻を有する登録情報を選択する。
【００６８】
登録情報サーバ装置ＳＪは、このようにして選択した登録情報に含まれる登録位置情報、登録時刻、登録画像などを、携帯情報端末装置Ｔに送信する（ステップＳ６３）。
【００６９】
携帯情報端末装置Ｔは、この登録情報を受信する（ステップＳ１８）。さらに、携帯情報端末装置Ｔは、受信した各登録情報の登録位置情報に基づいて登録位置マークを生成する（ステップＳ１９）。また、あわせて、ユーザの現在位置情報に基づいて、現在位置マークを生成する。
【００７０】
次に、携帯情報端末装置Ｔは、ステップＳ１６において表示した地図に重ねるように、登録位置マークおよび現在位置マークを表示する。あわせて、画面の下方に各登録画像を表示し、当該登録画像に対応する登録位置マークとの間に線ビームを表示し、さらに、時刻スライダを表示する（ステップＳ２０）。
【００７１】
このようにして表示された画面を、図１１に示す。現在位置マーク１１０によって、ユーザの現在位置が示されている。登録位置マーク１１２が、登録画像の記録されている地点を表している。画面下部には、複数の登録画像のサムネイルが表示されており、それぞれの画像と対応する登録位置マーク１１２との間には、線ビーム１１６が表示されている。
【００７２】
なお、登録情報サーバ装置ＳＪからは、他の登録位置に対応する登録画像も送信されてきているが、ここでは、表示エリアの都合上、閲覧対象時刻に近い登録時刻を有する４つの登録画像のみを表示している。図１１において、左の登録画像の方が、より閲覧対象時刻に近い登録時刻を有する要に配置されている。
【００７３】
画面の右端には、時刻スライダ１１８が表示されている。時刻スライダ１１８の操作ボタン１２０は、ユーザが上下に移動操作可能になっている。また、操作ボタン１２０の近傍には、閲覧対象時刻１２２が表示されている。
【００７４】
図１１の状態において、ユーザが登録画像を右から左へ（またはその逆に）スライドさせると、図１２に示すように、他の登録位置の登録画像（図１１の右端の登録画像の次に現在時刻に近い登録時刻を有する登録画像）が右端に現れ、左端の登録画像の表示がなくなる。これに伴って、線ビーム１１６の表示も更新される。
【００７５】
図１１や図１２の状態にて、登録画像１１４のサムネイルがユーザによってタップされると、図１３に示すように、携帯情報端末装置Ｔは、登録画像１１４の詳細および登録コメントを表示する。この画面では、地図１３０が小さく表示されている。なお、登録コメントは、ステップＳ６３にて送信するようにしてもよいし、ユーザが登録画像１１４のサムネイルをタップしたときに、携帯情報端末装置Ｔが登録情報サーバ装置ＳＪから取得するようにしてもよい。
【００７６】
図１１または図１２の状態において、ユーザが時刻スライダ１１８のボタン１２０を移動したり、地図のスクロール操作（倍率変更操作などを含む）を行うと、閲覧対象時刻や閲覧対象位置情報を変更することができる。
【００７７】
携帯情報端末装置Ｔは、上記のような操作がなされたかどうかを判断する（ステップＳ２１）。操作があれば、当該操作が、時刻スライダ１１８の移動であるかどうかを判断する（ステップＳ２２）。時刻スライダ１１８のボタン１２０が移動されたのであれば、当該ボタン１２０の位置に対応する時刻を、閲覧対象時刻に設定する（ステップＳ２３）。
【００７８】
地図のスクロール操作等であれば（ステップＳ２４）、その移動量に応じて、閲覧対象位置を変更する（ステップＳ２５）。
【００７９】
携帯情報端末装置Ｔは、このようにして変更された閲覧対象時刻や閲覧対象位置情報に基づいて、ステップＳ１４以下を再び実行する。これにより、変更された閲覧対象時刻や閲覧対象位置情報に対応する登録画像を得ることができる。
【００８０】
たとえば、時刻スライダ１１８を操作することにより、その閲覧対象位置にして過去に登録された登録画像を時間順に見ることができる。観光地などであれば、同じ場所の四季の風景の変化を見ることができる。
【００８１】
６．その他の実施形態
(1)上記実施形態では、地図サーバ装置ＳＭと登録情報サーバ装置ＳＪを設けているが、これらを一つのサーバ装置としてもよい。
【００８２】
(2)上記実施形態では、登録位置マーク、現在位置マーク、線ビーム、時刻スライダを携帯情報端末装置Ｔ側にて生成している。しかし、これらの全部または一部を、登録情報サーバ装置ＳＪ側から携帯情報端末装置Ｔ側に送信するようにしてもよい。
【００８３】
(3)上記実施形態では、時刻スライダ１１８のボタン１２０を操作することで、閲覧対象時刻を変更するようにしている。しかし、図１１や図１２の画面において、登録画像のサムネイル１１４をスライドすることに連動させて、閲覧対象時刻も変更されるようにしてもよい。
【００８４】
(4)また、図１１や図１２の画面に代えて（あるいは加えて）、地図を表示せずに、登録画像のサムネイル１１４と登録コメントの一覧を表示するようにしてもよい。このような表示例を、図１４に示す。なお、図１１、図１２のような表示を行わないのであれば、地図サーバ装置ＳＭは設けなくともよい。
【００８５】
(5)また、携帯情報端末装置Ｔから、ユーザＩＤを指定して図14のような表示を求めることにより、当該ユーザの登録した画像のサムネイルやコメントのみを一覧表示することもできる。
【００８６】
(6)上記実施形態においては、携帯情報端末装置Ｔを用いている。しかし、閲覧処理においては、携帯型ではない通常のＰＣを用いてもよい。
【図２】
2014041405.tif 000003
【図３】
2014041405.tif 000004
【図４】
2014041405.tif 000005
【図５】
2014041405.tif 000006
【図６】
2014041405.tif 000007
【図７】
2014041405.tif 000008
【図８】
2014041405.tif 000009
【図９】
2014041405.tif 000010
【図１０】
2014041405.tif 000011
【図１５】
2014041405.tif 000012
【図１】
2014041405.tif 000013
【図１１】
2014041405.tif 000014
【図１２】
2014041405.tif 000015
【図１３】
2014041405.tif 000016
【図１４】
2014041405.tif 000017